(57)【要約】【課題】  簡単な構造で構成され、照明器具の取り付け方法の、固定型及び吊り下げ型にも対応し暗がりの中でも安全に交換作業が行える電球交換器具を提供する。 【解決手段】  電球交換器具の把持部を、軟性で、弾力があり、両面に滑り止めを施した扇形にカットしたマット１を円錐状１dに巻き、固定器具のテーパーカップ２，３、リング４に装着することで、電球把持部が構成され、長尺棒５の先端に取り付け、回転させることで交換する電球交換器具であり、照明器具の取り付け形態である、固定型は勿論のこと吊り下げ型に対しても笠固定棒６を用いて、笠のフレームないしコードを把持し、回転を抑えることで電球の交換が可能となり、長尺棒５の上部に照明器具７（懐中電灯）を装着することによって、暗がりの中での交換作業が一人で安全に行えるよう装備した。【選択図】  図１
2011040266.tif 000002
【特許請求の範囲】
【請求項１】
高所に配置された電球の交換に用いる電球交換器具で、軟性で、弾力があり、両面に
滑り止めを施した扇状のマットを円錐状に巻き、交換する電球の大径部である、中腹部
から下腹部を把持する役割で、マットの表面外縁部に付された巻き位置線（寸法表示）
で、容易に電球の把持部が構成されるが、マットの素材が軟性であるため、それ自体で
は回転力に弱く、力が伝わらないので、硬質のテーパーカップの内側に装着することで
把持力も増し、また、回転力に対しても、マットの歪みもなくなり、交換可能となったマット
を装着したテーパーカップを長尺棒の先端に取り付け、長尺棒を回転させて交換すること
を特徴とする電球交換器具。
【請求項２】
マットに巻き位置線を設けることで容易に把持部の構成はできるが、それ自体では装置と
しては不十分で、それを固定する必要があり、どの固定器具を使用するかが、一目瞭然で
分かるようにするため、マットの表面と、固定器具自体の側面に固定器具記号と名称を表
記することで、間違いを防ぎ、安全で簡単に着脱装置が出来上がることを特徴とする、請
求項１に記載する電球交換器具。
【請求項３】
高所に取り付けている照明器具は、天井に固定して設置されている固定型と、天井からコ
ードやチェーンなどで吊り下げられた吊り下げ型の二通りあり、固定型であれば、電球を
把持し長尺棒を回転させれば交換できるが、吊り下げ型の場合、電球を把持し長尺棒を回
転させても、コードと笠が同時に回転し着脱できないが、棒の先端に、硬質で弾力のある
素材でできたＵ字型器具を取り付けた笠固定棒で、笠のフレームないしコードを把持する
ことで笠やコードの回転を抑え交換できることを特徴とする請求項１に記載する電球交換
器具。
【請求項４】
暗がりでの電球交換は危険を伴う作業となるため、長尺棒の上部に、照明器具（懐中電
灯）を常備させることで、照明をあてながら安全に交換でき、一人で交換できることを特徴
とする請求項１に記載する電球交換器具。
【請求項５】
マット一枚、テーパーカップ二個、リング一個、長尺棒一本、照明器具一個の簡単な構造と
部品数僅か７点の少数で成り、一般に使用されている電球径約２０種類に対応できること
を特徴とした請求項１に記載する電球交換器具。
【請求項６】
マットの表面には着脱装置の作り方、裏面には電球交換器具の取り扱い説明文が表記さ
れ別途に取扱説明書を不要とすることを特徴とした、請求項１に記載する電球交換器具。
【発明の詳細な説明】
【技術分野】
【０００１】
本発明は、手の届かない高所に配置された電球の交換に用いられる電球交換器具に
関する。
【背景技術】
【０００２】
従来から、高所に配置された電球を、長尺棒の先端に取り付けた着脱装置での電球交
換器具は提供されている。（特許文献１〜３）
【先行技術文献】
【特許文献】
【０００３】
【特許文献１】特開  ２００２−３６７５７１
【特許文献２】特開  ２００３−２７２５６８
【特許文献３】特開  ２００７−１５７３６０
【発明の概要】
【発明が解決しようとする課題】
【０００４】
従来の、電球交換器具は、電球径に応じて着脱装置そのものを交換しなくてはならず不
経済であり、数種類の着脱装置と長尺棒を購入すれば、数万円の高価なものとなり、ま
た構造的にも複雑で部品点数も多いため製造コストもかかり高くなる。
そのため、着脱装置を極力簡素化し、安価で提供することを、本発明の目的とした。
【０００５】
次に、電球が取り付けられている照明笠の形態についてである。照明笠の形態には次の
二通りがあり、一つは天井や壁面に固定されている固定型と、もう一つはコードやチェーンなどで天井から吊り下げられている吊り下げ型で、従来の電球交換器具は、固定型対応で吊り下げ型には対応できない。そのため、二通りの形態に対応できる電球交換器具を提供することを、本発明の目的とした。
【０００６】
次に、暗がりでの交換作業についてである。球が切れ、真っ暗の中で交換する場合、従
来の電球交換器具であれば、別途に照明器具（懐中電灯）を用意しなければならず、手
間がかかるうえ、片手で照明器具、もう一方の手で電球交換器具を持つといった、不安
定な状態での作業になり危険を伴う。そのため、一人で安全に交換作業ができる電球交
換器具を提供することを、本発明の目的とした。
【０００７】
次に、取扱説明書についてである。従来は、別途に印刷された物が、本体とは別に取り
扱われており、必要とするときに見つからず不便を感じていた。その不便性を無くすことと、紙などの資源を無駄に消費しない方法を、本発明の目的とした。
【課題を解決するための手段】
【０００８】
次に、上記課題を解決するためにその手段を説明する。
【０００９】
本発明の請求項１は、高所に配置された電球の交換に用いる電球交換器具で、軟性で
弾力があり、両面に滑り止めを施した扇状のマットを円錐状に巻き、交換する電球の大
径部である中腹部から下腹部を把持する役割で、マットの表面外縁部に付された巻き
位置線（寸法表示）で、容易に電球の把持部が構成されるが、マットの素材が軟性であ
るためそれ自体では回転力に弱く、力が伝わらないので、硬質のテーパーカップの内側
に装着することで把持力も増しまた、回転力に対してもマットの歪みもなくなり、交換可能となったマットを装着したテーパーカップを長尺棒の先端に取り付け、長尺棒を回転させて交換することを特徴とする。
【００１０】
本発明の請求項２は、マットに巻き位置線を設けることで容易に把持部の構成はできる
が、それ自体では装置としては不十分で、それを固定する必要があり、どの固定器具を
使用するか一目瞭然でわかるようにするため、マットの表面と、固定器具自体の側面に
固定器具記号と名称を表記することで、間違いを防ぎ、安全で簡単に着脱装置ができ
あがることを特徴とする。
【００１１】
本発明の請求項３は、高所に取り付けている照明器具は、天井に固定して設置されて
いる固定型と、天井からコードやチェーンなどで吊り下げられた吊り下げ型の二通りあり固定型であれば電球を把持し長尺棒を回転させれば交換できるが、吊り下げ型の場合
電球を把持し長尺棒で回転させても、コードと笠が同時に回転し着脱できないが、棒の
先端に、硬質で弾力のある素材でできたＵ字型器具を取り付け笠固定棒で、笠のフレ
ームないしコードを把持することで笠やコードの回転を抑え交換できることを特徴とする。
【００１２】
本発明の請求項４は、暗がりでの電球交換は危険を伴う作業となるため、長尺棒の上
部に照明器具（懐中電灯）を常備させることで、照明をあてながら安全に交換でき、一
人で交換できることを特徴とする。
【００１３】
本発明の請求項５は、マット一枚、テーパーカップ二個、リング一個、長尺棒一本、照明器具一個の簡単な構造と部品数僅か７点の少数で成り、一般に使用されている電球径
約２０種類に対応できることを特徴とする。
【００１４】
本発明の請求項６は、マットの表面に着脱装置の作り方、裏面に電球交換器具の取り
扱い説明文が表記され別途に取扱説明書を不要とすることを特徴とする。
【発明の効果】
【００１５】
本発明は以上述べたように構成されているので以下に記載されるような効果を奏す。
【００１６】
電球交換器具の最も重要な電球把持部、いわゆる、着脱装置の構造が、マット一枚、テ
ーパーカップ二個、リング一個の少数部品で、一般的に使用されている電球径約２０種
類の交換ができるようになることから、本発明の電球交換器具一個があればあらゆる
電球に対応でき経済的であり、また簡単な構造のため製造コストも安く抑えられ、安価
な電球交換器具の提供が可能となる。
【００１７】
着脱装置の電球を把持するマットであるが、マットの表面に巻き位置線と対応固定器具
の指示が書かれており、その指示に従うことで交換しようとする電球に即座に対応でき
着脱装置ができあがることで、誰でも簡単に行うことができる。
【００１８】
照明器具の取り付け形態の固定型、吊り下げ型、のどちらでも対応できことから利便性
が高まる。
【００１９】
長尺棒の上部に照明器具（懐中電灯）を常備させることで、いざという時に、照明器具を探す必要が無く、手間が省ける上、一人で安全に交換作業ができ利便性と安全性が高
まる。
【００２０】
マットに着脱装置の作り方や、取り扱い説明文が全て表記されたことで、従来の別途印
刷された取り扱い説明書であれば、必要とするときなかなか見つからず不便さを感じていたが本体そのものに表記されたことによって利便性が高まる上、無駄に資源を消費しなくて済む。
【図面の簡単な説明】
【００２１】
【図１】照明器具７を装着した長尺棒５の先端に電球把持装置を取り付け電球（小球）を把持した斜視図。
【図２】電球（中球）把持装置の斜視図。
【図３】大球用テーパーカップ３の斜視図。
【図４】電球（大球）把持装置の斜視図。
【図５】電球を把持する部材であるマット１の表面の正面図。
【図６】電球を把持する部材であるマット１の裏面の正面図。
【図７】笠固定棒６の斜視図。
【図８】笠固定棒６で吊り下げ型照明器具のフレームを把持している正面図。
【図９】笠固定棒６で吊り下げ型照明器具のコードを把持している正面図。
【発明を実施するための形態】
【００２２】
次は、この発明の実施の形態について説明する。
【００２３】
電球交換器具の重要な装置である電球把持装置図１Ａの構成を説明する。図１Ａは、小
球（直径５０ミリ以下）の電球を把持している図である。
【００２４】
現在、一般的に使用されている電球は、様々な形、球径があり、球径だと約２０種類に
及んでおり、従来の電球交換器具の電球把持装置が何ミリかの許容範囲があったとして
も、２０種類の電球を、一個の把持装置で交換することは難しく、装置そのものを交換する必要があった。
【００２５】
本発明の最大の特徴は、マット１を円錐状に巻き、取り換える電球を包み込むことで、把持部を構成することにある。マット１の素材は、柔らかく、弾力があり、薄いゴム状の部材で作られているので、巻き方次第で約２０種類の円錐形を作り出すことができ、しかも両面に滑り止めが施されているため、表面、裏面関係なく、どちらで巻いてもしっかり把持することができ、一枚のマット１で電球径約２０種類に対応できる電球把持部が構成される。
【００２６】
しかも、図５に示すように、マット１の表面には、取り換える電球径に応じた寸法が印刷されており巻き位置線でマット１を巻くことで簡単に把持部が構成される。
【００２７】
しかし、マット１で電球把持部が構成されるが、マット１の素材が軟性であるため、それ自体では回転力でマット１がねじれて電球の着脱ができないため、マット１を固定する必要がある。図１、図２、図３、図４に示す、硬質の素材でできたテーパーカップ２とテーパーカップ３、硬質で弾力性のある素材でできたリング４の三点でマット１の固定器具が構成され、それぞれの組み合わせによって電球把持装置が作られる。
【００２８】
マット１の固定器具の組み合わせであるが、取り換える電球の球径を５０ミリ以下、５０〜８０ミリ、８０ミリ以上の三通りに分け、それぞれに対応する固定器具名を図５に示す文字表記することで誰でも簡単に電球把持装置ができるよう構成する。
【００２９】
図１Ａに示す、球径５０ミリ以下の場合、テーパーカップ２の上部開口部にリング４を蓋をするようにはめ込み固定し、球径５０ミリ以下の巻き位置線で円錐状に巻き上げたマット１dをリング４の内側に装着し、長尺棒５の先端部に取り付け小球（５０ミリ以下）対応の電球交換器具を構成する。
【００３０】
図２に示す球径５０〜８０ミリの場合、テーパーカップ２の内側に５０〜８０ミリの巻き位置線で円錐状に巻き上げたマット１dを装着し、長尺棒５の先端部に取り付け中球（５０〜８０ミリ）対応の電球交換器具を構成する。
【００３１】
図４に示す、球径８０ミリ以上の場合、テーパーカップ２の上部内側に図３のテーパーカップ３をはめ込み図３、図４に示すテーパーカップの側面３箇所に取り付けた両面ファスナー８，９で固定し、円錐状に巻き上げたマット１dを装着し、長尺棒５の先端部に取り付け大球（８０ミリ以上）対応の電球交換器具を構成する。
【００３２】
次は、電球把持装置を高所に配置された電球まで届かす棒で、図１に示す長尺棒５は
伸縮できる軽量な円筒状のもので構成する。
【００３３】
次は、電球が取り付けられている照明器具の形態である。照明器具の取り付け方法に
は、二通りあり、天井に固定して取り付けられている固定型と天井からコードやチェーン等で吊り下げられている吊り下げ型に分かれており、従来の電球交換器具は、固定型
には対応できるが、吊り下げ型には対応できない。従来の電球交換器具で吊り下げ型
の照明器具に取り付けられている電球の交換をする場合、電球を把持し長尺棒を回転
させても、コードやチェーンも一緒に回転し力が伝わらず着脱できない。吊り下げ型にはもう一つ取り付け方法があり、電球を覆う笠１０と電球のみの１１の図８、図９に示す二通りある。
【００３４】
吊り下げ型の照明器具二通りに対応する図７の笠固定棒６で、図８に示す、笠のフレー
ム１０に笠固定棒６の先端部を差込み笠の回転を抑え電球交換器具で電球を把持し
回転させ交換するよう構成する。
【００３５】
図９に示す、電球のみで吊り下げられている場合、コード１１を笠固定棒６の先端下部
にあるＵ字型の器具で挟み込み、コードの回転を抑え電球交換器具で電球を把持し
回転させ交換するよう構成する。
【００３６】
次は、暗がりの中での電球交換を安全に行える方法についてである。通常、照明は暗く
なって灯すもので、球切れするのも暗がりの中でおきやすく、真っ暗な状態での電球交
換は危険を伴う作業になり、安全に作業をするためには必ず照明を当てながらの作業
になる。しかし、従来の電球交換器具で行う場合、照明器具が取り付けられていないた
め、その都度照明器具を探す必要があり手間がかかる上、片手で照明を当て、片手で
交換器具を扱うといった不安定な作業になる。図１に示す、長尺棒５の上部に照明器具
７（懐中電灯）を取り付けることによって照明を当てながら一人で安全に交換作業が行えるよう構成した。
【００３７】
次は、取扱説明書についてである。図６に示す、把持部を構成するマット１の裏面に印
刷することで、必要とするとき何時でも見ることができ、無くすことがなく探す手間が省ける上、紙の印刷物を無くせ、無駄に資源を消費しなくて済むよう構成した。
【実施例】
【００３８】
以下に実施例を示すが、本発明はこれら実施例に限定されるものではない。
【００３９】
本発明の重要な位置を成す、電球把持部のマット１を取り換える電球径６０ミリの時
図５の表面に表記されている指示に従って実施したところ、巻き位置、固定器具が
表記されているため簡単に電球把持装置ができあがり、長尺棒５の先端に取り付け
高所（３．５メートル）に取り付けてある電球に電球把持装置を押し当て、長尺棒５を
回転させ交換することができた。小球（３５ミリ）大球（９５ミリ）で実施したところ、同じ結果となった。
【００４０】
暗がりの中で、取り換える電球の球径が４５ミリで高所（３．５メートル）に取り付けられた固定型電球を交換する時、図１に示す、小球対応の電球把持装置を装備した電球交換器具で、照明器具７を点灯させ交換作業をしたところ、一人で安全に交換することができた。同条件で中球対応図２（実施電球径６０ミリ）大球対応図４（実施電球径９０ミリ）で実施しても同じ結果となった。
【００４１】
暗がりの中で、取り換える電球の球径が９０ミリで高所（２．８メートル）に取り付けられた吊り下げ型電球図８の笠付き１０を図７笠固定棒６でしっかり把持し、大球対応の電球把持装置を装備した電球交換器具で、照明器具７を点灯させ交換作業をしたところ、一人で安全に交換できた。同条件で、吊り下げ型図９のコード１１を把持し、電球交換器具で実施しても同じ結果となった。
【符号の説明】
【００４２】
１    扇形にカットされたマット
１d   円錐状に巻いたマット
２    テーパーカップ（小、中、大球用）
３    テーパーカップ（大球用）
４    リング（小球用）
５    長尺棒
６    笠固定棒
７    照明器具
８    両面ファスナー
９    両面ファスナー
１０    照明笠
１１    コード
Ａ    電球交換器具
【図１】
2011040266.tif 000003
【図２】
2011040266.tif 000004
【図３】
2011040266.tif 000005
【図４】
2011040266.tif 000006
【図５】
2011040266.tif 000007
【図６】
2011040266.tif 000008
【図７】
2011040266.tif 000009
【図８】
2011040266.tif 000010
【図９】
2011040266.tif 000011